(57)【要約】      （修正有）【課題】テーブルの載置面積を十分に確保すると共に、ティッシュを取り出しやすい位置にティッシュ箱を配置したベッド用小物置テーブルを提供する。【解決手段】ベッド用小物置テーブル１１は、少なくとも主壁１３を有するブラケット部材１２と、ブラケット部材１２に保持される天板１９とを備え、ブラケット部材１２の主壁１３と天板１９とで区画される空間には、ティッシュ箱２０を保持するティッシュ箱保持空間Ｓが形成されており、主壁１３には、ティッシュ箱保持空間に面する側にティッシュ箱２０を保持するティッシュ箱保持部としてのベルト１６と、厚み方向に貫通し、主壁１３のティッシュ箱保持空間と反対側からティッシュを取り出し可能とするティッシュ取り出し孔１７とが設けられている。【選択図】図２
0003137032.tif 000002
【実用新案登録請求の範囲】
【請求項１】
少なくとも主壁を有するブラケット部材と、
前記ブラケット部材に保持される天板とを備え、
前記ブラケット部材の主壁と前記天板とで区画される空間には、ティッシュ箱を保持するティッシュ箱保持空間が形成されており、
前記主壁には、
前記ティッシュ箱保持空間に面する側にティッシュ箱を保持するティッシュ箱保持部と、
厚み方向に貫通し、前記主壁の前記ティッシュ箱保持空間と反対側からティッシュを取り出し可能とするティッシュ取り出し孔とが設けられている、ベッド用小物置テーブル。
【請求項２】
前記ティッシュ箱保持部は、長手方向中央部領域で前記主壁に固定されると共に、長手方向両端部に互いを接合する接合手段を有し、ティッシュ箱保持部の外面に巻回されるベルトである、請求項１に記載のベッド用小物置テーブル。
【請求項３】
前記ティッシュ箱保持部は、
ティッシュ箱に巻回される環状部材と、
環状部材を係止する複数の係止部、および前記ティッシュ取り出し孔に連通する連通孔を有し、前記主壁の前記ティッシュ箱保持空間に面する側に取り付けられるティッシュ箱保持プレートとを含む、請求項１に記載のベッド用小物置テーブル。
【請求項４】
前記ティッシュ箱保持プレートは、磁石によって前記主壁に着脱可能に取り付けられている、請求項３に記載のベッド用小物置テーブル。
【請求項５】
前記ティッシュ箱保持プレートは、略長方形状であって、下辺を含む少なくとも２つの辺それぞれの任意の位置から厚み方向に突出してティッシュ箱を保持する複数の突出壁を有し、
前記複数の係止部は、前記複数の突出壁それぞれの先端に設けられている、請求項３または４に記載のベッド用小物置テーブル。
【請求項６】
前記ティッシュ箱保持プレートは、略長方形状であって、その外縁部全周から実質的に同じ高さで突出してティッシュ箱を保持する突出壁を有し、
前記複数の係止部は、前記突出壁の先端であって、２つ以上の辺に分散して設けられている、請求項３または４に記載のベッド用小物置テーブル。
【考案の詳細な説明】
【技術分野】
【０００１】
この考案は、ベッド用小物置テーブル、特にベッドの柵に取り付けて使用するベッド用小物置テーブルに関するものである。
【背景技術】
【０００２】
病院や在宅看護等で使用される看護用ベッドが、例えば、特開２００３−１５９２８９号公報（特許文献１）に記載されている。同公報に記載されているベッドには、側柵にサイドテーブルが取り付けられている。このサイドテーブルは、看護に必要な様々な物品を載置するために使用される。
【特許文献１】特開２００３−１５９２８９号公報
【考案の開示】
【考案が解決しようとする課題】
【０００３】
看護に必要な物品としてティッシュ箱が挙げられる。しかし、サイドテーブルはそれほど大きなものではないので、ティッシュ箱を載置するとサイドテーブルの大部分が塞がってしまうことになる。
【０００４】
そこで、この考案の目的は、テーブルの載置面積を十分に確保すると共に、ティッシュの取り出しやすい位置にティッシュ箱を配置したベッド用小物置テーブルを提供することである。
【課題を解決するための手段】
【０００５】
この考案に係るベッド用小物置テーブルは、少なくとも主壁を有するブラケット部材と、ブラケット部材に保持される天板とを備え、ブラケット部材の主壁と天板とで区画される空間には、ティッシュ箱を保持するティッシュ箱保持空間が形成されている。そして、主壁には、ティッシュ箱保持空間に面する側にティッシュ箱を保持するティッシュ箱保持部と、厚み方向に貫通し、主壁のティッシュ箱保持空間と反対側からティッシュを取り出し可能とするティッシュ取り出し孔とが設けられている。
【０００６】
上記構成のように、ティッシュ箱をブラケット部材と天板とで区画された空間で保持することにより、天板の載置面積が減少することがない。また、ティッシュ箱の向きを変えれば、正面側および背面側のどちらからでもティッシュを取り出すことが可能となる。つまり、常にティッシュを取り出しやすいように保持することができる。
【０００７】
好ましくは、ティッシュ箱保持部は、長手方向中央部領域で主壁に固定されると共に、長手方向両端部に互いを接合する接合手段を有し、ティッシュ箱保持部の外面に巻回されるベルトである。これにより、ティッシュ箱の交換が簡単になる。なお、接合手段としては、面ファスナーやボタン等を採用することができる。
【０００８】
好ましくは、ティッシュ箱保持部は、ティッシュ箱に巻回される環状部材と、環状部材を係止する複数の係止部、およびティッシュ取り出し孔に連通する連通孔を有し、主壁のティッシュ箱保持空間に面する側に取り付けられるティッシュ箱保持プレートとを含む。さらに好ましくは、ティッシュ箱保持プレートは、磁石によって主壁に着脱可能に取り付けられている。このように、ティッシュ箱保持部を主壁に対して着脱可能な状態とすることにより、さらにティッシュ箱の交換が簡単になる。
【０００９】
一実施形態として、ティッシュ箱保持プレートは、略長方形状であって、下辺を含む少なくとも２つの辺それぞれの任意の位置から厚み方向に突出してティッシュ箱を保持する複数の突出壁を有する。そして、複数の係止部は、複数の突出壁それぞれの先端に設けられている。
【００１０】
他の実施形態として、ティッシュ箱保持プレートは、略長方形状であって、その外縁部全周から実質的に同じ高さで突出してティッシュ箱を保持する突出壁を有する。そして、複数の係止部は、突出壁の先端であって、２つ以上の辺に分散して設けられている。
【考案の効果】
【００１１】
この考案によれば、天板とブラケット部材との間でティッシュ箱を保持することにより、天板の載置面積を十分に確保することができると共に、ティッシュの取り出しやすい位置にティッシュ箱を配置したベッド用小物置テーブルを得ることができる。
【考案を実施するための最良の形態】
【００１２】
図１〜図４を参照して、この考案の一実施形態に係るベッド用小物置テーブル１１を説明する。なお、図１はベッド用小物置テーブル１１を正面側から見た斜視図、図２はベッド用小物置テーブル１１を背面側から見た斜視図、図３はティッシュ箱保持プレート２１を示す図、図４はティッシュ箱保持プレート３１を示す図である。
【００１３】
まず、図１および図２を参照して、ベッド用小物置テーブル１１は、ブラケット部材１２と、天板１９とを備える。ブラケット部材１２は、主壁１３と、主壁１３の左右両端部で主壁１３と交差（この実施形態では「直交」）する側壁１４，１５とで構成されている。天板１９は、ブラケット部材１２の上端に取り付けられて、水平に保持されている。さらに、ブラケット部材１２の主壁１３と天板１９の下面とで区画される空間にティッシュ箱２０を保持するティッシュ箱保持空間Ｓが形成されている。
【００１４】
主壁１３には、ティッシュ箱保持空間Ｓに面する側にティッシュ箱２０を保持するティッシュ箱保持部としてのベルト１６と、厚み方向に貫通するティッシュ取り出し孔１７と、ベッド用小物置テーブル１１をベッドの側柵１に係止する複数の取付部１８とが形成されている。
【００１５】
ベルト１６は、長手方向中央部領域で主壁１３に固定されている。また、長手方向両端部に互いを接合する接合手段（図示省略）を有し、ティッシュ箱２０の外面に巻きつけてティッシュ箱を保持する。なお、接合手段の具体例としては、面ファスナーやボタン等が挙げられる。また、ティッシュ箱２０を安定して保持するため、かつティッシュの取り出しを妨げないために、ベルト１６は、取出口２０ａを避けたティッシュ箱２０の両端部領域の２箇所を保持している。
【００１６】
ティッシュ取り出し孔１７は、主壁１３の中央部に設けられる左右方向に延びる長孔であって、取出口２０ａを主壁１３に向けてティッシュ箱２０を取り付けたときに、ベッド用小物置テーブル１１の背面側からティッシュを取り出し可能な位置に設けられている。
【００１７】
上記構成のように、ティッシュ箱２０をブラケット部材１２と天板１９とで区画された空間で保持することにより、天板１９の載置面積が減少することがない。また、ティッシュ箱２０の向きを変えれば、正面側（図１の側）および背面側（図２の側）のどちらからでもティッシュを取り出すことが可能となる。つまり、主に看護者が使用する場合（図１の状態）でも主に患者自身が使用する場合（図２の状態）でも、常にティッシュを取り出しやすいように保持することができる。
【００１８】
次に、図３を参照して、ティッシュ箱保持部の他の実施形態としてのティッシュ箱保持プレート２１を説明する。ティッシュ箱保持プレート２１は、略長方形状の板状部材であって、その外縁部から厚み方向に突出する突出壁２２と、環状部材２６を係止する複数の係止部２３ａ，２３ｂ，２３ｃ，２３ｄ（これらを総称して「係止部２３」という）と、ティッシュ取り出し孔１７に連通する連通孔２４とを有する。
【００１９】
さらに、この実施形態においては、主壁１３とティッシュ箱保持プレート２１とは共に金属で形成されている。そして、ティッシュ保持プレート２１は、主壁１３のティッシュ箱保持空間Ｓに面する側に磁石２５によって着脱可能な状態で固定されている。
【００２０】
突出壁２２は、ティッシュ箱保持プレート２１の下辺の２箇所に設けられた下壁２２ａ，２２ｂと、上辺の２箇所に設けられた上壁２２ｃ，２２ｄと、左辺に設けられた左壁２２ｅと、右辺に設けられた右壁２２ｆとを含む。下壁２２ａ，２２ｂはティッシュ箱２０を下方向から支持する。上壁２２ｃ，２２ｄはティッシュ箱２０が前方向に傾くのを防止する。左壁２２ｅおよび右壁２２ｆはティッシュ箱２０の左右方向への移動を規制する。
【００２１】
また、下壁２２ａ，２２ｂの先端には係止部２３ａ，２３ｂが、上壁２２ｃ，２２ｄの先端には係止部２３ｃ，２３ｄがそれぞれ設けられている。環状部材２６は、例えば、ゴム等の弾性部材や金属線等であって、ティッシュ箱２０の外面に巻回されると共に、複数の係止部２３に係止される。
【００２２】
上記構成のように、ティッシュ箱２０を保持するティッシュ箱保持プレート２１を主壁１３に対して着脱可能な状態としておくことにより、ティッシュ箱２０の交換を簡単に行うことができる。
【００２３】
なお、ティッシュ箱２０を適切に保持する観点からは、突出壁２２のうち少なくとも下壁２２ａ，２２ｂを設けておくのが望ましい。また、係止部２３は、２つ以上の辺に分散して設けられていなければならない。すなわち、突出壁２２は、下辺を含む２つ以上の辺に設けるのが望ましい。
【００２４】
なお、突出壁２２は、各辺の任意の位置に設けることができる。だだし、ティッシュ箱２０を安定して保持するため、および環状部材２６を取り付けたときにティッシュの取り出しを妨げないためには、下壁２２ａ，２２ｂおよび上壁２２ｃ，２２ｄは、取り出し口２０ａを避けてティッシュ箱２０の両端部領域の２箇所を保持するのが望ましい。
【００２５】
次に、図４を参照して、ティッシュ箱保持部のさらに他の実施形態としてのティッシュ箱保持プレート３１を説明する。なお、ティッシュ箱保持プレート２１と共通する構成要素には同一の参照番号を付し、説明を省略する。
【００２６】
ティッシュ箱保持プレート３１は、略長方形状の板状部材であって、その外縁部から厚み方向に突出する突出壁３２と、環状部材２６を係止する複数の係止部２３と、ティッシュ取り出し孔１７に連通する連通孔２４とを有する。また、ティッシュ箱保持プレート３１には厚み方向に貫通するネジ穴３５が３箇所に設けられており、ネジ（図示省略）によって主壁１３のティッシュ箱保持空間Ｓに面する側に着脱可能な状態で固定される。
【００２７】
この実施形態における突出壁３２は、ティッシュ箱保持プレート３１の外縁部全周から実質的に同じ高さで突出している。また、係止部２３は、突出壁３２の先端であって、２つ以上の辺に分散して設けられている。この実施形態においては、下辺の２箇所に係止部２３ａ，２３ｂが、上辺の２箇所に係止部２３ｃ，２３ｄがそれぞれ設けられている。
【００２８】
上記構成としても、ティッシュ箱２０の交換を簡単に行うことができる。なお、図４に示すティッシュ箱保持プレート３１は、図３に示すティッシュ箱保持プレート２１と比較して構造が単純であるので、製造コストを低減することができる。
【００２９】
なお、上記の各実施形態において、ティッシュ箱保持プレート２１は磁石２５によって、ティッシュ箱保持プレート３１はネジ（図示省略）によってそれぞれ主壁１３に取り付ける例を示したが、これに限ることなく、任意の取付方法を選択することができる。
【００３０】
また、上記の各実施形態におけるティッシュ箱保持部として、ベルト１６、およびティッシュ箱保持プレート２１，３１の例を示したが、これに限ることなく、任意の構成を採用することができる。例えば、主壁１３のティッシュ箱保持空間Ｓに面する側に直接係止部を設けて、環状部材２６を係止してもよい。
【００３１】
また、ブラケット部材１２の側壁１４，１５は、この考案の目的を達するための必須の構成要素ではなく、省略することができる。ただし、ブラケット部材１２の強度を確保し、天板１９を適切に保持するためには、図１に示すような略コの字型のブラケット部材１２を採用するのが望ましい。
【００３２】
さらに、上記の各実施形態においては、主壁１３にティッシュ取り出し孔１７を設け、ティッシュ箱保持プレート２１，３１に連通孔２４を設けることによって、ティッシュを正面側（図１の側）および背面側（図２の側）の両側から取り出し可能とする例を示した。しかし、正面側のみから取り出せればよい場合には、ティッシュ取り出し孔１７および連通孔２４は省略することができる。
【００３３】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３４】
この考案は、ベッド用小物置テーブルに有利に利用される。
【図面の簡単な説明】
【００３５】
【図１】この考案の一実施形態に係るベッド用小物置テーブルの正面側からの斜視図である。
【図２】この考案の一実施形態に係るベッド用小物置テーブルの背面側からの斜視図である。
【図３】この考案の一実施形態に係るティッシュ箱保持プレートの斜視図である。
【図４】この考案の他の実施形態に係るティッシュ箱保持プレートの斜視図である。
【符号の説明】
【００３６】
１  側柵、１１  ベッド用小物置テーブル、１２  ブラケット部材、１３  主壁、１４，１５  側壁、１６  ベルト、１７  ティッシュ取り出し孔、１８  取付部、１９  天板、２０  ティッシュ箱、２０ａ  取出口、２１，３１  ティッシュ箱保持プレート、２２，３２  突出壁、２２ａ，２２ｂ  下壁、２２ｃ，２２ｄ  上壁、２２ｅ  左壁、２２ｆ  右壁、２３，２３ａ，２３ｂ，２３ｃ，２３ｄ  係止部、２４  連通孔、２５  磁石、２６  環状部材、３５  ネジ穴。
【図１】
0003137032.tif 000003
【図２】
0003137032.tif 000004
【図３】
0003137032.tif 000005
【図４】
0003137032.tif 000006